(57)【要約】【課題】登録装置と精算装置とが分離された構成の商品販売データ処理システムにおいて、精算されない取引の発生を防止することができる。【解決手段】客の買上商品を登録して取引情報を生成する登録手段と、第１の取引情報と第２の取引情報とを紐付ける取引情報紐付け手段と、紐付けられた第１の取引情報と第２の取引情報とを出力する出力手段と前記出力手段によって出力された取引情報を受信し精算処理を行う精算手段と、第１の取引情報に対する精算処理に際して、第２の取引情報に関する精算の報知を行う報知手段とを備える。【選択図】図１
2018018203.tif 000002
【特許請求の範囲】
【請求項１】
店員によって客が買い上げる買上商品の登録をする登録装置と客が自ら精算操作を行う精算装置とを備える商品販売データ処理システムであって、
客の買上商品を登録して取引情報を生成する登録手段と、
第１の取引情報と第２の取引情報とを紐付ける取引情報紐付け手段と、
前記取引情報紐付け手段により紐付けられた前記第１の取引情報と前記第２の取引情報とを出力する出力手段と、
前記出力手段によって出力された前記取引情報を受信し精算処理を行う精算手段と、
前記第１の取引情報に対する精算処理に際して、前記第２の取引情報に関する精算の報知を行う報知手段と、
を備えることを特徴とする商品販売データ処理システム。
【請求項２】
前記報知手段は、前記第１の取引情報に対する精算処理の完了前に前記第２の取引情報に対する精算操作の開始指示を報知する
ことを特徴とする請求項１に記載の商品販売データ処理システム。
【請求項３】
前記報知手段は、前記第１の取引情報に対するお釣りの払い出し前に、前記第２の取引情報に対する入金指示を報知し、
前記精算手段は、前記第２の取引情報に対する入金がされた場合にのみ、前記第１の取引情報に対するお釣りを払い出す
ことを特徴とする請求項１または２に記載の商品販売データ処理システム。
【請求項４】
前記報知手段は、前記第２の取引情報に対する入金金額が取引金額以上になった場合に前記報知を終了する
ことを特徴とする請求項１から３いずれか１項に記載の商品販売データ処理システム。
【請求項５】
前記精算装置は、取引完了を示す取引完了手段を備え、
前記精算手段は、前記第２の取引情報に対する入金金額が取引金額以上かつ前記取引完了手段による完了宣言を受け付けると、前記第１の取引情報に対するお釣りを払い出す
ことを特徴とする請求項１から４いずれか１項に記載の商品販売データ処理システム。
【請求項６】
前記精算装置は、受信した取引情報に紐付けされた取引情報がある場合には、当該受信した取引情報と、当該紐付けされた取引情報に関する情報との両方を表示する表示手段
を備えることを特徴とする請求項１に記載の商品販売データ処理システム。
【請求項７】
店員によって客が買い上げる買上商品の登録をする登録装置と客が自ら精算操作を行う精算装置とを備える商品販売データ処理システムにおける前記精算装置としてのコンピュータに、
前記登録装置が客の買上商品を登録して生成した取引情報を受信する受信ステップと、
前記取引情報を利用して精算処理を行う精算ステップと、
第１の取引情報に対する精算処理に際して、前記第１の取引情報に紐付けられた第２の取引情報に関する精算の報知を行う報知ステップと、
を実行させるためのプログラム。
【発明の詳細な説明】
【技術分野】
【０００１】
本発明は、商品販売データ処理システム及びプログラムに関する。
【背景技術】
【０００２】
商品の登録が行われる登録装置と、登録装置により登録された商品について精算を行う精算装置とが分離して構成されるＰＯＳシステムが知られている。このようなＰＯＳシステムでは、店員が登録装置により顧客の買上商品の登録を行い、顧客が自分の買上商品についての精算を精算装置にて行うことができる。特許文献１には、顧客が精算券（お会計券）を用いて精算装置で精算するシステムが記載されている。
【先行技術文献】
【特許文献】
【０００３】
【特許文献１】特開２０１４−２４１０９４号公報
【発明の概要】
【発明が解決しようとする課題】
【０００４】
しかしながら、特許文献１に記載の技術では、例えば、一人の顧客が精算を２回に分けて申請してお会計券を２枚発行したにも関わらず、２枚のうち１枚のお会計券に基づいた精算しか行わないという不正が行われる可能性がある。すなわち、精算されない取引が発生してしまう可能性があるという問題がある。
【０００５】
本発明は、このような事情に鑑みてなされたもので、登録装置と精算装置とが分離された構成の商品販売データ処理システムにおいて、精算されない取引の発生を防止することができる商品販売データ処理システム及びプログラムを提供することを目的とする。
【課題を解決するための手段】
【０００６】
本発明の一態様は、店員によって客が買い上げる買上商品の登録をする登録装置と客が自ら精算操作を行う精算装置とを備える商品販売データ処理システムであって、客の買上商品を登録して取引情報を生成する登録手段と、第１の取引情報と第２の取引情報とを紐付ける取引情報紐付け手段と、前記取引情報紐付け手段により紐付けられた前記第１の取引情報と前記第２の取引情報とを出力する出力手段と、前記出力手段によって出力された前記取引情報を受信し精算処理を行う精算手段と、前記第１の取引情報に対する精算処理に際して、前記第２の取引情報に関する精算の報知を行う報知手段と、を備えることを特徴とする商品販売データ処理システムである。
【０００７】
また、本発明の他の態様の商品販売データ処理システムにおいて、前記報知手段は、前記第１の取引情報に対する精算処理の完了前に前記第２の取引情報に対する精算操作の開始指示を報知することを特徴とする。
【０００８】
また、本発明の他の態様の商品販売データ処理システムにおいて、前記報知手段は、前記第１の取引情報に対するお釣りの払い出し前に、前記第２の取引情報に対する入金指示を報知し、前記精算手段は、前記第２の取引情報に対する入金がされた場合にのみ、前記第１の取引情報に対するお釣りを払い出すことを特徴とする。
【０００９】
また、本発明の他の態様の商品販売データ処理システムにおいて、前記報知手段は、前記第２の取引情報に対する入金金額が取引金額以上になった場合に前記報知を終了することを特徴とする。
【００１０】
また、本発明の他の態様の商品販売データ処理システムにおいて、前記精算装置は、取引完了を示す取引完了手段を備え、前記精算手段は、前記第２の取引情報に対する入金金額が取引金額以上かつ前記取引完了手段による完了宣言を受け付けると、前記第１の取引情報に対するお釣りを払い出すことを特徴とする。
【００１１】
また、本発明の他の態様の商品販売データ処理システムにおいて、前記精算装置は、受信した取引情報に紐付けされた取引情報がある場合には、当該受信した取引情報と、当該紐付けされた取引情報に関する情報との両方を表示する表示手段を備えることを特徴とする。
【００１２】
また、本発明の他の態様は、店員によって客が買い上げる買上商品の登録をする登録装置と客が自ら精算操作を行う精算装置とを備える商品販売データ処理システムにおける前記精算装置としてのコンピュータに、前記登録装置が客の買上商品を登録して生成した取引情報を受信する受信ステップと、前記取引情報を利用して精算処理を行う精算ステップと、第１の取引情報に対する精算処理に際して、前記第１の取引情報に紐付けられた第２の取引情報に関する精算の報知を行う報知ステップと、を実行させるためのプログラムである。
【発明の効果】
【００１３】
本発明によれば、登録装置と精算装置とが分離された構成の商品販売データ処理システムにおいて、精算されない取引の発生を防止することができるという効果が得られる。
【図面の簡単な説明】
【００１４】
【図１】本発明の第１の実施形態におけるＰＯＳシステムの構成例を示す図である。
【図２】本発明の第１の実施形態における登録装置の構成例を示す図である。
【図３】本発明の第１の実施形態における精算装置の構成例を示す図である。
【図４】本発明の第１の実施形態における登録装置と精算装置の外観例を示す図である。
【図５】本発明の第１の実施形態における登録装置の処理遷移例について説明するフローチャートである。
【図６】本発明の第１の実施形態における精算装置の処理遷移例について説明するフローチャートである。
【図７】本発明の第１の実施形態における精算装置の処理遷移例について説明するフローチャートである。
【図８】本発明の第１の実施形態における精算装置が表示する画面の一例を示すイメージ図である。
【図９】本発明の第１の実施形態における精算装置が表示する画面の一例を示すイメージ図である。
【図１０】本発明の第１の実施形態における精算装置が表示する画面の一例を示すイメージ図である。
【図１１】本発明の第２の実施形態における精算装置の処理遷移例について説明するフローチャートである。
【図１２】本発明の第２の実施形態における精算装置の処理遷移例について説明するフローチャートである。
【図１３】精算装置が表示する画面の一例を示すイメージ図である。
【発明を実施するための形態】
【００１５】
以下、本発明の実施形態について図面を参照して説明する。
【００１６】
（第１の実施形態）
まず、本発明の第１の実施形態について説明する。図１は、本実施形態に係るＰＯＳ（Ｐｏｉｎｔ  Ｏｆ  Ｓａｌｅｓ）システム（商品販売データ処理システムの一例）の構成例を示した図である。同図に示すＰＯＳシステムは、ストアコントローラ１０と、登録装置２０と、３台の精算装置３０−１、３０−２、３０−３とを含んで構成されている。
なお、以降の説明にあたり、精算装置３０−１、３０−２、３０−３について特に区別しない場合には、精算装置３０と記載する。
【００１７】
ストアコントローラ１０、登録装置２０及び精算装置３０は店舗ＳＴにおいて備えられる。
ストアコントローラ１０と、登録装置２０と、３台の精算装置３０とは、有線または無線接続のＬＡＮ（Ｌｏｃａｌ  Ａｒｅａ  Ｎｅｔｗｏｒｋ）１１で相互に通信が可能なように接続されている。
【００１８】
なお、同図に示したＰＯＳシステムの構成は一例である。例えば、ＰＯＳシステムの構成として、２台以上の登録装置２０を含む構成としてもよいし、２台以下または４台以上の精算装置３０を含む構成としてもよい。また、ＰＯＳシステムの構成として、ストアコントローラ１０を含まない構成としてもよい。
なお、ＰＯＳシステムの構成として、ストアコントローラ１０を含まない構成とする場合には、他の装置（例えば、登録装置２０、２以上の登録装置２０がある場合には代表する１台の登録装置２０）に、ストアコントローラ１０としての機能を兼用させてもよい。
【００１９】
ストアコントローラ１０は、ＰＯＳシステムを制御するコンピュータであり、商品マスタなどの種々の情報を管理する。ストアコントローラ１０は、登録装置２０及び各精算装置３０に、最新の商品マスタを適宜送信する。商品マスタとは、各商品の商品識別情報（例えば、ＪＡＮコード）、商品名（品名、アイテム名）、販売価格、値引き情報などの商品情報を格納したファイルである。
ストアコントローラ１０は、最新の商品情報が反映された商品マスタを、外部（例えば、本部のサーバ、ＣＤ−ＲＯＭ等の媒体）から取得し、登録装置２０及び各精算装置３０に適宜送信する。
【００２０】
登録装置２０は、購入対象の商品を登録する商品登録処理を実行する。商品の登録は、例えば、スキャナを用いて、商品に付されているバーコードを読み取るか、商品登録画面に表示されたプリセットボタン等を操作することにより行われる。
また、登録装置２０は、登録された商品に関する情報（以下、商品登録データという）を生成し、記憶する。
【００２１】
商品登録データは、当該商品登録データを識別するための商品登録データ識別情報、登録日時、登録された各商品の商品識別情報、登録された各商品の商品名、販売価格、値引き情報、購入対象の商品の品数を示す取引点数（購入点数）、購入対象の商品の総額（合計金額）を含む。また、商品登録データは、当該商品登録データを生成した登録装置２０（すなわち、当該商品登録データに係る商品を登録した登録装置２０）を識別するための登録装置識別情報をさらに含んでもよい。
【００２２】
商品登録データは、精算装置３０において精算処理に用いられる。精算処理とは、登録された商品の代金を、現金、電子マネー（プリペイドカードのチャージ残高を含む）、クレジットカードなどを選択的に用いて支払い、決済する処理である。
【００２３】
本実施の形態では、複数の精算装置３０が存在するが、複数のうちのいずれか１台が、登録装置２０において生成された商品登録データを用いて精算処理を実行する。複数の精算装置３０のうちから、精算処理を実行させるべき精算装置３０を指定する態様としては、下記の第１の指定態様と第２の指定態様が挙げられる。
【００２４】
第１の指定態様は、精算処理を実行させる精算装置３０を、店員が登録装置２０にて指定する態様である。
すなわち、店員が、精算装置３０を指定する操作を登録装置２０に対して行うことによって、複数の精算装置３０のうちから精算処理を実行させる精算装置３０を指定する。
なお、登録装置２０において、各精算装置３０の稼働状況を示した稼働情報を表示するようにし、登録装置２０において、店員が精算装置３０を指定する際に、各精算装置３０の稼働状況を確認できるようにしてもよい。
【００２５】
店員が精算装置３０を指定した場合には、ＬＡＮ１１を介して、登録装置２０において生成された商品登録データを含む取引情報が、指定された精算装置３０に送信される。
すなわち、登録装置２０は、登録処理に続いて精算装置３０が指定された場合には、指定された精算装置３０に対し、当該登録処理に基づく商品登録データを含む取引情報を送信する。
なお、本実施の形態では、登録装置２０は、直接、精算装置３０に取引情報を送信するが、ストアコントローラ１０を経由して、精算装置３０に取引情報を送信してもよい。
【００２６】
また、第２の指定態様は、顧客に手渡しされる精算処理用の媒体（お会計券（登録商標））を、店員が登録装置２０にて発行し、店員から手渡しされたお会計券を、顧客が１つの精算装置３０に読み取らせる態様である。
すなわち、顧客が、店員から手渡しされたお会計券を精算装置３０に読み取らせることによって、複数の精算装置３０のうちから精算処理を実行させる精算装置３０を指定する。
お会計券には、取引情報識別情報及び登録装置識別情報が、１次元コードまたは２次元コードのいずれかの形式で印刷されている。
【００２７】
精算装置３０においてお会計券が読み取られた場合には、ＬＡＮ１１を介して、登録装置２０において生成された商品登録データ（当該お会計券に対応する商品登録データ）を含む取引情報が、当該お会計券を読み取った精算装置３０に送信される。
すなわち、精算装置３０は、お会計券を読み取った場合には、当該お会計券に対応する取引情報（お会計券から得られる商品登録データ識別情報によって識別される商品登録データ）を、当該お会計券に対応する登録装置２０（お会計券から得られる登録装置識別情報によって識別される登録装置２０）に要求し（要求情報を送信）、取引情報を要求された登録装置２０は、要求された取引情報を、要求元の精算装置３０に送信する。
なお、本実施の形態では、精算装置３０は、直接、登録装置２０に取引情報を要求するが、ストアコントローラ１０を経由して、登録装置２０に取引情報を要求してもよい。
また、登録装置２０は、直接、精算装置３０に取引情報を送信するが、ストアコントローラ１０を経由して、精算装置３０に取引情報を送信してもよい。
【００２８】
なお、登録装置２０は、取引情報識別情報及び登録装置識別情報が、１次元コードまたは２次元コードで印刷されたお会計券に代えて、取引情報が２次元コードで印刷されたお会計券を発行してもよい。精算装置３０は、取引情報が２次元コードで印刷されたお会計券を読み取った場合には、当該お会計券から、直接、商品登録データを取得する。
【００２９】
精算装置３０は、顧客の操作に応じて精算処理を実行する。また、精算装置３０は、精算処理を終了した場合には、登録装置２０に精算処理の終了を通知する。
【００３０】
次に、図２〜図４を参照して、登録装置２０及び精算装置３０の構成例について説明する。
図２は、登録装置２０の構成例を示すブロック図である。図３は、精算装置３０の構成例を示すブロック図である。図４は、登録装置２０と精算装置３０との外観例を示す斜視図である。
【００３１】
登録装置２０は、図２に示すように、ＣＰＵ（Ｃｅｎｔｒａｌ  Ｐｒｏｃｅｓｓｉｎｇ
Ｕｎｉｔ）２０１と、記憶部２０２と、ＲＡＭ（Ｒａｎｄｏｍ  Ａｃｃｅｓｓ  Ｍｅｍｏｒｙ）２０３と、スキャナ部２０４と、店員用表示部２０５と、客用表示部２０５ａと、操作部２０６と、通信部２０７と、ブザー２０８と、印刷部２０９と、カードリーダ２１０とを備える。これらは、バスを介して相互に通信可能である。
【００３２】
ＣＰＵ２０１は、中央演算処理装置であり、記憶部２０２に記憶されているプログラムを読み出して実行することにより、登録装置２０の動作を制御する。
記憶部２０２は、ＣＰＵ２０１の補助記憶装置であって、プログラムをはじめとしてＣＰＵ２０１が利用する各種の情報を記憶する。
【００３３】
ＲＡＭ２０３は、ＣＰＵ２０１の主記憶装置であって、種々の情報を記憶する。例えば、ＲＡＭ２０３は、ストアコントローラ１０から取得した商品マスタや、登録処理後に生成された商品登録データなどを記憶する。
スキャナ部２０４は、商品に付されているバーコード（商品コード）を光学的に読み取る。
【００３４】
店員用表示部２０５は、タッチパネル（例えば、液晶タッチパネル）であり、店員用の種々の情報を表示する。
例えば、店員用表示部２０５は、商品情報（商品コード等）に関連付けられているプリセットボタンを配置した商品登録画面などを表示する。
【００３５】
客用表示部２０５ａは、顧客用の種々の情報を表示する。例えば、客用表示部２０５ａは、登録した商品の価格等を表示する。客用表示部２０５ａは、タッチパネル（例えば、液晶タッチパネル）であってもよい。
【００３６】
操作部２０６は、登録装置２０を動作させるための各種の操作ボタン（小計キー、現計キー、置数キー、訂正キー、及びプリセットキー等）を備える。例えば、操作部２０６は、操作ボタン（プリセットキー）が操作されることにより、そのプリセットキーに予め設定登録されている商品情報（商品コード等）について、操作入力を受け付ける。
【００３７】
通信部２０７は、ＬＡＮ１１を介して、他の装置と通信する。
ブザー２０８は、店員が操作を確認することが必要な場合などに、ブザー音を発生させる。
印刷部２０９は、必要に応じて媒体を印刷して発行する。例えば、印刷部２０９は、お会計券を印刷して発行する場合がある。
カードリーダ２１０は、プリペイドカードと通信を行うことで、通信相手のプリペイドカードから必要な情報を読み込む。
【００３８】
図４には、スキャナ部２０４、店員用表示部２０５、操作部２０６、印刷部２０９及びカードリーダ２１０を含む登録装置２０の外観例が示されている。
【００３９】
精算装置３０は、図３に示すように、ＣＰＵ３０１と、記憶部３０２と、ＲＡＭ３０３と、スキャナ部３０４と、表示部３０５と、操作部３０６と、通信部３０７と、ブザー３０８と、印刷部３０９と、決済部３１０と、サインポール３１１と、人感知センサ３１２とを備える。これらは、バスを介して相互に通信可能である。
【００４０】
ＣＰＵ３０１は、中央演算処理装置であり、記憶部３０２に記憶されているプログラムを読み出して実行することにより、精算装置３０の動作を制御する。
記憶部３０２は、ＣＰＵ３０１の補助記憶装置であって、プログラムをはじめとしてＣＰＵ３０１が利用する各種の情報を記憶する。
【００４１】
ＲＡＭ３０３は、ＣＰＵ２０１の主記憶装置であって、種々の情報を記憶する。例えば、ＲＡＭ３０３は、ストアコントローラ１０から取得した商品マスタや、登録装置２０から取得した商品登録データを記憶する。
スキャナ部３０４は、例えば、お会計券に印刷された１次元または２次元コードや、会員カード等に付されているバーコード（会員コード）を光学的に読み取る。
【００４２】
表示部３０５は、タッチパネル（例えば、液晶タッチパネル）であり、種々の情報を表示する。例えば、表示部３０５は、合計金額などが表示される精算画面を表示する。
【００４３】
操作部３０６は、精算装置３０を動作させるための各種の操作ボタン（訂正キー及びプリセットキー等）を備える。例えば、操作部３０６は、操作ボタン（訂正キー）が操作されることにより、操作入力の訂正を受け付ける。
【００４４】
通信部３０７は、ＬＡＮ１１を介して、他の装置と通信する。
ブザー３０８は、エラー等が発生した場合、エラーを報知するブザー音を発生させる。
印刷部３０９は、媒体を印刷して発行する。例えば、印刷部３０９は、精算処理（すなわち商品の買上金額の決済）が終了した場合、精算結果を示し顧客が持ち帰るべきレシートを印刷して発行する。
【００４５】
決済部３１０は、釣銭釣札機、クレジットカードリーダ等と、それらの制御部とを備えて構成されていて、決済部３１０を用いて、現金、クレジットカード等により決済処理が行われる。
決済部３１０は、釣銭釣札機によって、現金により決済を実行し、決済を実行した結果（例えば、決済が成立したか否かを示す情報）を、バスを介してＣＰＵ３０１に出力する。釣銭釣札機は、紙幣の投入及び排出をする紙幣投入口、硬貨を投入するための硬貨投入口、釣銭を排出する釣銭排出口を備えている。なお、以降の説明にあたり、紙幣投入口と硬貨投入口とについて一括して貨幣投入口と呼ぶ場合がある。
また、決済部３１０は、クレジットにより決済を実行し、決済を実行した結果を、ポート及びバスを介してＣＰＵ３０１に出力する。また、決済部３１０は、電子マネーにより決済を実行し、決済を実行した結果を、バスを介してＣＰＵ３０１に出力する。
【００４６】
サインポール３１１は、複数色の表示灯を有し、それらの表示灯を点灯や点滅させることで、精算装置３０が店員により指定された装置であることを示す情報を報知したり、操作可能である旨を報知したりする。
人感知センサ３１２は、精算装置３０の正面の所定圏内に人物（顧客）がいることを検知するセンサである。
【００４７】
図４には、スキャナ部３０４、表示部３０５、操作部３０６、印刷部３０９、決済部３１０、及びサインポール３１１などを含む精算装置３０の外観構成が示されている。
【００４８】
続いて、図５のフローチャートを参照して、本実施形態の登録装置２０の処理遷移例について説明する。初期状態として、登録装置２０は待機状態である。待機状態は、顧客の買上商品を計上するための登録処理が開始されるのを待機している状態である。待機状態において、登録装置２０の店員用表示部２０５には、待機画面が表示されている。ここで、顧客が買上商品の精算のために登録装置２０に赴いて買上商品を店員に渡すと、店員は渡された買上商品を登録する操作を開始する。そして、１つ目の買上商品を対象として登録の操作が行われることに応じて、登録装置２０は同図に示す処理を実行する。
【００４９】
（ステップＳ１０１）ＣＰＵ２０１は、登録の操作が行われることに応じて、商品を登録する商品登録処理を実行する。店員は、買上商品の登録を終了すると小計キーを操作する。ＣＰＵ２０１は、小計キーが入力を受け付けると、商品登録処理を終了する。その後、ステップＳ１０２の処理に進む。
【００５０】
（ステップＳ１０２）ＣＰＵ２０１は、買上商品の精算を分割するか否かを判定する。例えば、顧客が精算を２回に分けて申請した場合には、店員は商品登録処理において所定の分割キー（紐付けキー）を操作し、買上商品を分割して登録する。ＣＰＵ２０１は、商品登録処理において分割キーが入力を受け付けると、買上商品を分割して登録する。ＣＰＵ２０１は、商品登録処理において分割キーが入力を受け付けた場合に、精算を分割すると判定する。分割するとＣＰＵ２０１が判定した場合にはステップＳ１０５の処理に進む。また、分割しないとＣＰＵ２０１が判定した場合にはステップＳ１０３の処理に進む。
【００５１】
（ステップＳ１０３）ＣＰＵ２０１は、商品登録処理に基づく商品登録データを含む取引情報を生成する。その後、ステップＳ１０４の処理に進む。
（ステップＳ１０４）ＣＰＵ２０１は、生成した取引情報を出力する。例えば、ＣＰＵ２０１は、前述の第１の指定態様の場合には、指定された精算装置３０に対して取引情報を通信部２０７から送信する。また、ＣＰＵ２０１は、前述の第２の指定態様の場合には、取引情報を示す１次元コードまたは２次元コードが印刷されたお会計券を印刷部２０９から出力する。その後、処理を終了する。
【００５２】
（ステップＳ１０５）ＣＰＵ２０１は、商品登録処理において分割して登録された買上商品それぞれに対する第１の取引情報と第２の取引情報とを生成する。その後、ステップＳ１０６の処理に進む。
（ステップＳ１０６）ＣＰＵ２０１は、生成した第１の取引情報と第２の取引情報とを紐付ける。その後、ステップＳ１０７の処理に進む。
（ステップＳ１０７）ＣＰＵ２０１は、第１の取引情報と第２の取引情報とを紐付けて出力する。その後、処理を終了する。
【００５３】
次に、図６及び図７のフローチャートを参照して、精算装置３０の処理遷移例について説明する。同図の処理は、図５により説明した登録装置２０の処理に対応して行われるものである。初期状態として、精算装置３０は待機状態である。待機状態は、取引情報の受信に応じて精算に関連する処理が開始されるのを待機している状態である。待機状態において、精算装置３０の表示部３０５には、所定の態様による待機画面が表示されている。待機状態のもとで取引情報が受信されることに応じて、精算装置３０は同図に示す処理を実行する。なお、同図には、顧客が現金により精算する場合の処理を示している。
【００５４】
図６には、前述の第１の指定態様によって、登録装置２０において精算処理を実行させる精算装置３０を指定するようにされている場合の処理を示す。店員は、登録装置２０において指定した精算装置３０を顧客に案内する。顧客は、店員に案内された精算装置３０に赴き、精算処理を開始する。
【００５５】
（ステップＳ２０１）ＣＰＵ３０１は、通信部３０７を介して、登録装置２０から取引情報を受信する。その後、ステップＳ２０２の処理に進む。
【００５６】
（ステップＳ２０２）ＣＰＵ３０１は、受信した取引情報に基づく精算画面を表示部３０５に表示する。精算画面には、入金すべき精算金額及び入金指示が表示される。精算金額は、登録された買上商品の合計金額である。その後、ステップＳ２０３の処理に進む。
【００５７】
（ステップＳ２０３）ＣＰＵ３０１は、決済部３１０において、預かり金の入金を受け付ける。顧客は、決済部３１０に紙幣を投入する。その後、ステップＳ２０４の処理に進む。
【００５８】
（ステップＳ２０４）ＣＰＵ３０１は、顧客が投入した紙幣（預かり金）の金額が精算金額以上になると、取引完了を示す完了キーを表示部３０５に表示する。顧客は完了キーを操作する。完了キーは、預かり金の金額が精算金額以上になった場合にのみ、取引完了を示す完了宣言を受け付ける。ＣＰＵ３０１は、完了キーが完了宣言を受け付けたか否かを判定する。完了宣言を受け付けたとＣＰＵ３０１が判定した場合にはステップＳ２０５の処理に進む。また、完了宣言を受け付けていないとＣＰＵ３０１が判定した場合には、ステップＳ２０３の処理に戻る。
【００５９】
（ステップＳ２０５）ＣＰＵ３０１は、ステップＳ２０１において受信した取引情報に紐付けられている第２の取引情報があるか否かを判定する。紐付けられている第２の取引情報があるとＣＰＵ３０１が判定した場合には、ステップＳ２０７の処理に進む。また、紐付けられている第２の取引情報がないとＣＰＵ３０１が判定した場合には、ステップＳ２０６の処理に進む。
【００６０】
（ステップＳ２０６）ＣＰＵ３０１は、預かり金に対するお釣り（釣銭）を決済部３１０から払い出し、当該取引情報に対するレシートを印刷部３０９から出力する。その後、処理を終了する。
【００６１】
（ステップＳ２０７）ＣＰＵ３０１は、当該第１の取引情報に紐付けられている第２の取引情報に関する精算の報知画面を表示部３０５に表示する。当該報知画面には、第２の取引情報に対する精算操作の開始指示と、第２の取引情報に関する精算金額と、第２の取引情報に対する入金指示とが表示される。すなわち、ＣＰＵ３０１は、第１の取引情報に対する精算処理に際して、第２の取引情報に関する精算の報知を行う。具体的には、ＣＰＵ３０１は、第１の取引情報に対する精算処理の完了前に第２の取引情報に対する精算操作の開始指示を報知する。また、ＣＰＵ３０１は、第１の取引情報に対するお釣りの払い出し前に、第２の取引情報に対する入金指示を報知する。その後、ステップＳ２０８の処理に進む。
（ステップＳ２０８）ＣＰＵ３０１は、決済部３１０において、第２の取引情報に対する預かり金の入金を受け付ける。顧客は、決済部３１０に紙幣を投入する。その後、ステップＳ２０９の処理に進む。
【００６２】
（ステップＳ２０９）ＣＰＵ３０１は、預かり金の入金額が支払金額（取引金額）以上であるか否かを判定する。支払金額は、第２の取引情報の精算金額である。入金額が支払金額以上であるとＣＰＵ３０１が判定した場合には、ステップＳ２１０の処理に進む。また、入金額が支払金額未満であるとＣＰＵ３０１が判定した場合には、ステップＳ２０８の処理に戻る。
【００６３】
（ステップＳ２１０）ＣＰＵ３０１は、表示部３０５に表示している報知画面を消去して報知を終了する。すなわち、ＣＰＵ３０１は、第２の取引情報に対する入金金額が取引金額以上になった場合に報知を終了する。その後、ステップＳ２１１の処理に進む。
【００６４】
（ステップＳ２１１）ＣＰＵ３０１は、顧客が投入した紙幣（預かり金）の金額が精算金額以上になると、取引完了を示す完了キーを表示部３０５に表示する。顧客は完了キーを操作する。完了キーは、第２の取引情報に対する預かり金の金額が第２の取引情報の精算金額以上になった場合にのみ、取引完了を示す完了宣言を受け付ける。ＣＰＵ３０１は、完了キーが完了宣言を受け付けたか否かを判定する。完了宣言を受け付けたとＣＰＵ３０１が判定した場合にはステップＳ２１２の処理に進む。また、完了宣言を受け付けていないとＣＰＵ３０１が判定した場合には、ステップＳ２０８の処理に戻る。
【００６５】
（ステップＳ２１２）ＣＰＵ３０１は、第１の取引情報の預かり金に対するお釣りを決済部３１０から払い出し、第１の取引情報に対するレシートを印刷部３０９から出力する。すなわち、ＣＰＵ３０１は、第２の取引情報に対する入金がされた場合にのみ、第１の取引情報に対するお釣りを払い出す。より具体的には、ＣＰＵ３０１は、第２の取引情報に対する入金金額が取引金額以上になり、かつ、完了宣言を受け付けると、第１の取引情報に関するお釣りを払い出す。その後、ステップＳ２１３の処理に進む。
（ステップＳ２１３）ＣＰＵ３０１は、第１の取引情報に関するお釣りまたはレシートが取り除かれると、第２の取引情報の預かり金に対するお釣りを決済部３１０から払い出し、第２の取引情報に対するレシートを印刷部３０９から出力する。その後、処理を終了する。
【００６６】
図７には、前述の第２の指定態様によって、顧客が店員から手渡しされたお会計券を精算装置３０に読み取らせる場合の処理を示す。顧客は、登録装置２０において店員からおお会計券を受け取り、精算装置に赴く。そして、顧客は、お会計券をスキャナ部３０４にかざして、精算装置３０に読み取らせる。なお、同図には、取引情報が２次元コードで印刷されたお会計券を登録装置２０が発行した場合の処理を示す。
【００６７】
（ステップＳ３０１）スキャナ部３０４は、お会計券に印刷されたコードから取引情報を読み込み、読み込んだ取引情報を受信してＣＰＵ３０１に出力する。その後、ステップＳ３０２の処理に進む。
ステップＳ３０２からステップＳ３０６までの処理は、上述したステップＳ２０２からステップＳ２０６までの処理と同様であるため、説明を省略する。
【００６８】
（ステップＳ３０７）ＣＰＵ３０１は、当該第１の取引情報に紐付けられている第２の取引情報のお会計券を読み込ませる指示画面を表示部３０５に表示する。顧客は、第２の取引情報のお会計券をスキャナ部３０４にかざして、精算装置３０に読み取らせる。その後、ステップＳ３０８の処理に進む。
（ステップＳ３０８）スキャナ部３０４は、お会計券に印刷されたコードから第２の取引情報を読み込み、読み込んだ第２の取引情報をＣＰＵ３０１に出力する。ＣＰＵ３０１は、第２の取引情報が受信されると、表示している指示画面を消去する。その後、ステップＳ３０９の処理に進む。
【００６９】
ステップＳ３０９からステップＳ３１５までの処理は、上述したステップＳ２０７からＳ２１３までの処理と同様であるため、説明を省略する。
なお、ステップS３０７で、所定時間以上経過しても顧客が第２のお会計券を読み込ませなかった場合には、店員に報知するようにしてもよい。
【００７０】
図８から図１０は、精算装置３０が表示する画面の一例を示すイメージ図である。精算装置３０は、上述したステップＳ２０７またはステップＳ３０９において図８に示す画面を表示する。同図に示す画面には、第２の取引情報に対する入金指示「第２の取引の金額を確認し、お金を入れてください。」と、第２の取引情報の精算処理後にお釣りとレシートが出力される旨「第２の会計終了後に１回目・・・、２回目・・・、が出ます。」とが表示されている。
【００７１】
また、精算装置３０は、上述したステップＳ２１２またはステップＳ３１４において図９（ａ）に示す画面を表示する。同図に示す画面には、第１の取引情報に対するお釣り及びレシートが出力される旨「第１の取引のお釣りとレシートが出ます。」が表示されている。また、精算装置３０は、上述したステップＳ２１３またはステップＳ３１５において図９（ｂ）に示す画面を表示する。同図に示す画面には、第２の取引情報に対するお釣り及びレシートが出力される旨「続いて、第２の取引のお釣りとレシートが出ます。」が表示されている。
【００７２】
また、精算装置３０は、上述したステップＳ３０７において図１０に示す画面を表示する。同図に示す画面には、第２の取引情報のお会計券を読み込ませる指示「第２の取引のお会計券を読ませてください。」が表示されている。
【００７３】
以上説明したように、本実施形態の商品販売データ処理システム（ＰＯＳシステム）は、店員によって客が買い上げる買上商品の登録をする登録装置（２０）と客が自ら精算操作を行う精算装置（３０）とを備える商品販売データ処理システムであって、前記登録装置は、客の買上商品を登録して取引情報を生成する登録手段と、第１の取引情報と第２の取引情報とを紐付ける取引情報紐付け手段と、前記取引情報紐付け手段により紐付けられた前記第１の取引情報と前記第２の取引情報とを出力する出力手段と、を備え、前記精算装置は、前記出力手段によって出力された前記取引情報を受信し精算処理を行う精算手段と、前記第１の取引情報に対する精算処理に際して、前記第２の取引情報に関する精算の報知を行う報知手段と、を備える。
【００７４】
上記構成によれば、精算装置は、第１の取引情報に対する精算処理に際して、第２の取引情報に関する精算の報知を行う。これにより、登録装置と精算装置とが分離された構成の商品販売データ処理システムにおいて、精算されない取引の発生を防止することができる。
【００７５】
また、本実施形態における商品販売データ処理システムにおいて、前記報知手段は、前記第１の取引情報に対する精算処理の完了前に前記第２の取引情報に対する精算操作の開始指示を報知する。
【００７６】
上記構成によれば、第１の取引情報に対する精算処理の完了前に第２の取引情報に対する精算操作の開始指示を報知する。これにより、第２の取引情報の精算処理を開始しなければ、第１の取引情報の精算処理を完了することができないため、第２の取引情報が未精算になることを防ぐことができる。
【００７７】
また、本実施形態における商品販売データ処理システムにおいて、前記報知手段は、前記第１の取引情報に対するお釣りの払い出し前に、前記第２の取引情報に対する入金指示を報知し、前記精算手段は、前記第２の取引情報に対する入金がされた場合にのみ、前記第１の取引情報に対するお釣りを払い出す。
【００７８】
上記構成によれば、第２の取引情報に対する入金がされた場合にのみ、第１の取引情報に対するお釣りを払い出す。これにより、第２の取引情報に対する入金がされなければ、第１の取引情報に対するお釣りが払い出されないため、第２の取引情報が未精算になることを防ぐことができる。
【００７９】
また、本実施形態における商品販売データ処理システムにおいて、前記報知手段は、前記第２の取引情報に対する入金金額が取引金額以上になった場合に前記報知を終了する。
【００８０】
上記構成によれば、第２の取引情報に対する入金金額が取引金額以上になった場合に報知を終了する。これにより、入金金額が取引金額以上にならなければ報知が終了しないため、第２の取引情報が未精算になることを防ぐことができる。
【００８１】
また、本実施形態における商品販売データ処理システムにおいて、前記精算装置は、取引完了を示す取引完了手段を備え、前記精算手段は、前記第２の取引情報に対する入金金額が取引金額以上かつ前記取引完了手段による完了宣言を受け付けると、前記第１の取引情報に対するお釣りを払い出す。
【００８２】
上記構成によれば、第２の取引情報に対する入金金額が取引金額以上かつ完了宣言を受け付けると、第１の取引情報に対するお釣りを払い出す。これにより、入金金額が取引金額以上になり、かつ、完了宣言がなされなければ、第１の取引情報に関するお釣りが払い出されないため、第２の取引情報が未精算になることを防ぐことができる。
【００８３】
（第２の実施形態）
次に、本発明の第２の実施形態について説明する。本実施形態におけるＰＯＳシステムの構成は、第１の実施形態と同様であるため、その説明を省略する。また、本実施形態における登録装置２０が実行する処理は、第１の実施形態と同様であるため、その説明を省略する。
【００８４】
本実施形態では、精算装置３０が、受信した第１の取引情報に紐付けされている第２の取引情報がある場合には、第１の取引情報の精算処理の前に、第１の取引情報及び第２の取引情報それぞれの精算情報を表示する点が、第１の実施形態と異なる。精算情報には、買上商品の登録点数及び精算金額が含まれる。
【００８５】
次に、図１１及び図１２のフローチャートを参照して、精算装置３０の処理遷移例について説明する。同図の処理は、図５により説明した登録装置２０の処理に対応して行われるものである。初期状態として、精算装置３０は待機状態である。待機状態は、取引情報の受信に応じて精算に関連する処理が開始されるのを待機している状態である。待機状態において、精算装置３０の表示部３０５には、所定の態様による待機画面が表示されている。待機状態のもとで登録装置２０から取引情報が受信されることに応じて、精算装置３０は同図に示す処理を実行する。なお、同図には、顧客が現金により精算する場合の処理を示している。
【００８６】
図１１には、前述の第１の指定態様によって、精算処理を実行させる精算装置３０を指定するようにされている場合の処理を示す。店員は、登録装置２０において指定した精算装置３０を顧客に案内する。顧客は、店員に案内された精算装置３０に赴き、精算処理を開始する。
【００８７】
（ステップＳ４０１）ＣＰＵ３０１は、通信部３０７を介して、登録装置２０から取引情報を受信する。その後、ステップＳ４０２の処理に進む。
【００８８】
（ステップＳ４０２）ＣＰＵ３０１は、受信した取引情報に紐付けられている取引情報があるか否かを判定する。紐付けられている取引情報があるとＣＰＵ３０１が判定した場合には、ステップＳ４０７の処理に進む。また、紐付けられている取引情報がないとＣＰＵ３０１が判定した場合には、ステップＳ４０３の処理に進む。
【００８９】
（ステップＳ４０３）ＣＰＵ３０１は、受信した取引情報に基づく精算画面を表示部３０５に表示する。その後、ステップＳ４０４の処理に進む。
【００９０】
（ステップＳ４０４）ＣＰＵ３０１は、決済部３１０において、預かり金の入金を受け付ける。顧客は、決済部３１０に紙幣を投入する。その後、ステップＳ４０５の処理に進む。
【００９１】
（ステップＳ４０５）顧客は、投入した紙幣（預かり金）の金額が精算金額以上になると、取引完了を示す完了キーを操作する。完了キーは、預かり金の金額が精算金額以上になった場合にのみ、取引完了を示す完了宣言を受け付ける。ＣＰＵ３０１は、完了キーが完了宣言を受け付けたか否かを判定する。完了宣言を受け付けたとＣＰＵ３０１が判定した場合にはステップＳ４０６の処理に進む。また、完了宣言を受け付けていないとＣＰＵ３０１が判定した場合には、ステップＳ４０４の処理に戻る。
【００９２】
（ステップＳ４０６）ＣＰＵ３０１は、預かり金に対するお釣りを決済部３１０から払い出し、当該取引情報に対するレシートを印刷部３０９から出力する。その後、処理を終了する。
【００９３】
（ステップＳ４０７）ＣＰＵ３０１は、ステップＳ４０１において受信した第１の取引情報の精算情報、当該第１の取引情報に紐付けられている第２の取引情報の精算情報、及び、第１の取引情報の精算金額と第２の取引情報の精算金額との合計金額を表示部３０５に表示する。すなわち、ＣＰＵ３０１は、受信した取引情報に、紐付けされた取引情報がある場合には、当該紐付けされた取引情報に関する情報を表示する。その後、ステップＳ４０８の処理に進む。
【００９４】
（ステップＳ４０８）ＣＰＵ３０１は、決済部３１０において、第１の取引情報に関する預かり金の入金を受け付ける。顧客は、決済部３１０に紙幣を投入する。その後、ステップＳ４０９の処理に進む。
【００９５】
（ステップＳ４０９）ＣＰＵ３０１は、顧客が投入した紙幣（預かり金）の金額が精算金額以上になると、取引完了を示す完了キーを表示部３０５に表示する。顧客は完了キーを操作する。完了キーは、第１の取引情報に対する預かり金の金額が第１の取引情報の精算金額以上になった場合にのみ、取引完了を示す完了宣言を受け付ける。ＣＰＵ３０１は、完了キーが完了宣言を受け付けたか否かを判定する。完了宣言を受け付けたとＣＰＵ３０１が判定した場合にはステップＳ４１０の処理に進む。また、完了宣言を受け付けていないとＣＰＵ３０１が判定した場合には、ステップＳ４０８の処理に戻る。
【００９６】
（ステップＳ４１０）ＣＰＵ３０１は、決済部３１０において、第２の取引情報に関する預かり金の入金を受け付ける。顧客は、決済部３１０に紙幣を投入する。その後、ステップＳ４１１の処理に進む。
【００９７】
（ステップＳ４１１）ＣＰＵ３０１は、顧客が投入した紙幣（預かり金）の金額が精算金額以上になると、取引完了を示す完了キーを表示部３０５に表示する。顧客は完了キーを操作する。完了キーは、第２の取引情報に対する預かり金の金額が第２の取引情報の精算金額以上になった場合にのみ、取引完了を示す完了宣言を受け付ける。ＣＰＵ３０１は、完了キーが完了宣言を受け付けたか否かを判定する。完了宣言を受け付けたとＣＰＵ３０１が判定した場合にはステップＳ４１２の処理に進む。また、完了宣言を受け付けていないとＣＰＵ３０１が判定した場合には、ステップＳ４１０の処理に戻る。
【００９８】
（ステップＳ４１２）ＣＰＵ３０１は、第１の取引情報の預かり金に対するお釣りを決済部３１０から払い出し、第１の取引情報に対するレシートを印刷部３０９から出力する。その後、ステップＳ４１３の処理に進む。
（ステップＳ４１３）ＣＰＵ３０１は、第２の取引情報の預かり金に対するお釣りを決済部３１０から払い出し、第２の取引情報に対するレシートを印刷部３０９から出力する。その後、処理を終了する。
【００９９】
また第１の取引情報に第２の取引情報が紐付けられている場合、第１の取引情報の精算金額と第２の取引情報の精算金額との合計金額を表示させ、顧客により合計金額以上が入金され、完了キーの完了宣言を受け付けると、第１の取引情報の精算に関するお釣りとレシートが発行され、前記お釣りまたはレシートが取り除かれると、第２の取引情報の精算に関するお釣りとレシートが発行されてもよい。
【０１００】
図１２には、前述の第２の指定態様によって、顧客が店員から手渡しされたお会計券を精算装置３０に読み取らせる場合の処理を示す。顧客は、登録装置２０において店員からおお会計券を受け取り、精算装置に赴く。そして、顧客は、お会計券をスキャナ部３０４にかざして、精算装置３０に読み取らせる。なお、同図には、取引情報が２次元コードで印刷されたお会計券を登録装置２０が発行した場合の処理を示す。
【０１０１】
（ステップＳ５０１）スキャナ部３０４は、お会計券に印刷されたコードから取引情報を読み込み、読み込んだ取引情報をＣＰＵ３０１に出力する。その後、ステップＳ５０２の処理に進む。
ステップＳ５０２からステップＳ５０６までの処理は、上述したステップＳ４０２からステップＳ４０６までの処理と同様であるため、説明を省略する。
【０１０２】
（ステップＳ５０７）ＣＰＵ３０１は、当該第１の取引情報に紐付けられている第２の取引情報のお会計券を読み込ませる指示画面を表示部３０５に表示する。顧客は、第２の取引情報のお会計券をスキャナ部３０４にかざして、精算装置３０に読み取らせる。その後、ステップＳ５０８の処理に進む。
（ステップＳ５０８）スキャナ部３０４は、お会計券に印刷されたコードから第２の取引情報を読み込み、読み込んだ第２の取引情報をＣＰＵ３０１に出力する。ＣＰＵ３０１は、第２の取引情報が受信されると、表示している指示画面を消去する。その後、ステップＳ５０９の処理に進む。
【０１０３】
ステップＳ５０９からステップＳ５１５までの処理は、上述したステップＳ４０７からＳ４１３までの処理と同様であるため、説明を省略する。
【０１０４】
以上説明したように本実施形態の商品販売データ処理システム（ＰＯＳシステム）は、店員によって客が買い上げる買上商品の登録をする登録装置（２０）と客が自ら精算操作を行う精算装置（３０）とを備える商品販売データ処理システムであって、前記登録装置は、客の買上商品を登録して取引情報を生成する登録手段と、第１の取引情報と第２の取引情報とを紐付ける取引情報紐付け手段と、前記取引情報紐付け手段により紐付けられた前記第１の取引情報と前記第２の取引情報とを出力する出力手段と、を備え、前記精算装置は、前記出力手段によって出力された前記取引情報を受信し精算処理を行う精算手段と、前記第１の取引情報に対する精算処理に際して、前記第２の取引情報に関する精算の報知を行う報知手段と、を備える。
【０１０５】
上記構成によれば、精算装置にて第１の取引情報に対する精算処理に際して、第２の取引情報に関する精算の報知を行う。これにより、登録装置と精算装置とが分離された構成の商品販売データ処理システムにおいて、精算されない取引の発生を防止することができる。
【０１０６】
また、本実施形態における商品販売データ処理システムにおいて、前記精算装置は、受信した前記取引情報に、紐付けされた取引情報がある場合には、当該紐付けされた取引情報に関する情報を表示する表示手段を備える。
【０１０７】
上記構成によれば、次の取引情報の精算があることを顧客に報知することができる。これにより、第２の取引情報が未精算になることを防ぐことができる。
【０１０８】
以上、この発明の実施形態について図面を参照して詳述してきたが、具体的な構成はこの実施形態に限られるものではなく、この発明の要旨を逸脱しない範囲の設計等も含まれる。
【０１０９】
例えば、上述した実施形態では、登録装置２０は、精算を分割する場合には、各取引情報それぞれに対するお会計券を計２枚発行しているが、これに限らず、第１の取引情報及び第２の取引情報両方を示すお会計券を１枚発行してもよい。この場合には、精算装置３０は、お会計券を読み込むと、２つの取引情報（第１の取引情報及び第２の取引情報）の精算情報を表示する。また、お会計券を１枚読み込ませた場合には、第１の取引情報の精算金額と第２の取引情報の精算金額との合計金額を表示させ、顧客により合計金額以上が入金され、完了キーの完了宣言を受け付けると、第１の取引情報の精算に関するお釣りとレシートが発行され、前記お釣りまたはレシートが取り除かれると、第２の取引情報の精算に関するお釣りとレシートが発行されてもよい。
【０１１０】
また、上述した実施形態では、現金で精算する場合について説明したが、これに限らず、精算種別はクレジットカードや電子マネー等の他の方法であってもよい。例えば、精算装置３０は、第１の取引情報に対する精算種別がクレジットカードである場合には、第２の取引情報に対する精算処理が行われるまで、当該クレジットカードを担保とする。
【０１１１】
なお、精算種別は、登録装置２０において決定して取引情報に付加してもよいし、精算装置３０において顧客が選択してもよい。
【０１１２】
また、登録装置２０及び精算装置３０それぞれに撮像カメラを設置し、買上商品の登録時及び精算時に顧客の撮像を続けてもよい。登録装置２０及び精算装置３０は、取引情報に当該撮像カメラが撮像した撮像データを紐付ける。そして、登録装置２０または精算装置３０は、取引情報を出力してから所定時間以上経過しても、精算処理が行われない場合には、店員に報知する。例えば、当該報知は、精算装置３０に設置されているサインポール３１１の点滅や、店員のいる登録装置２０で表示または音声出力により行う。これにより、店員は、精算していない顧客がいることを知ることができる。また、撮像データを用いることにより、誰が精算していなかが判別可能となる。また、取引情報や当該取引情報を登録操作した時間から、撮像データを検索して顧客を特定することができる。
【０１１３】
また、登録装置２０が備える店員用表示部２０５の表示により、精算されていない取引情報を報知してもよい。例えば、登録装置２０は、お会計券により精算する場合には、お会計券を発行すると、店員用表示部２０５の表示色を通常とは異なる色に変化させる。精算装置３０は、お会計券が示す取引情報の精算処理が終了すると、精算処理の終了を登録装置２０に通知する。登録装置２０は、当該通知を受信すると、店員用表示部２０５の表示色を通常に戻す。これにより、店員は、お会計券を発行した取引情報が精算されたか否かを容易に知ることができる。
【０１１４】
また、登録装置２０が備える店員用表示部２０５の表示により、精算状況を報知してもよい。例えば、登録装置２０は、第１の取引情報と第２の取引情報とが紐付けられている場合には、第１の取引情報の精算処理開始から第２の取引情報の精算処理終了までを、第１の取引の入金中、第１の取引の精算中、第２の取引の精算待機中、第２の取引の入金中、第２の取引の精算中、完了キー押下などと精算状況を順に表示する。
【０１１５】
また、登録装置２０は、紐付けられた第１の取引情報と第２の取引情報とを出力する場合には、１つずつ取引情報を出力してもよいし、２つの取引情報を合算して１つのデータとして出力してもよい。また、第２の取引情報はストアコントローラ１０等に待機させておき、精算装置３０において第１の取引情報の精算処理が完了したときに、ストアコントローラ１０から精算装置３０に第２の取引情報を送信するようにしてもよい。また、登録装置２０は、取引情報をお会計券で出力する場合には、レシートの削減のために、２つの取引情報を１つのコードにまとめて１枚のお会計券で出力するようにしてもよい。
【０１１６】
また、登録装置２０は、第２の取引情報の登録中に、第１の取引情報に追加したい商品が出てきた場合には、第２の取引情報の登録中であっても、第１の取引情報を呼び出して当該商品を第１の取引情報に追加登録できるようにしてもよい。例えば、登録装置２０は、特殊な割り込みキーが押下されると、指定された商品を第１の取引情報に追加登録する。具体的には、登録装置２０は、割り込みキーが押下されると、第２の取引情報を一時避難させ（或いは、表示画面に第１の取引情報に関するタブを追加する）、第１の取引情報を呼び出して第１の取引情報に当該商品を追加登録する。
【０１１７】
また、登録装置２０において品券等を使用して精算してもよい。
【０１１８】
また、精算装置３０は、第１の取引情報の精算種別と第２の取引情報の精算種別とをそれぞれ選択できるように、第１の取引情報と第２の取引情報ともにそれぞれ精算種別を選択させる画面を表示するようにしてもよい。このとき、精算装置３０は、紐付けされた第１の取引情報及び第２の取引情報それぞれの買上商品の登録点数と精算金額とを並べて表示してもよい。
【０１１９】
図１３は、精算装置３０が表示する精算種別選択画面の一例を示すイメージ図である。図１３（ａ）は、第１の取引情報の精算種別を選択する画面であって、精算装置３０に最初に表示される画面である。同図に示す画面には、精算種別「現金」、「クレジットカード」、「電子マネー」いずれかを選択するためのボタンと、第１の取引情報の買上商品の登録点数及び精算金額と、第２の取引情報の買上商品の登録点数及び精算金額とが表示されている。図１３（ｂ）は、第２の取引情報の精算種別を選択する画面であって、第１の取引情報の精算処理が完了したときに精算装置３０に表示される画面である。同図に示す画面には、第２の取引情報の精算種別の選択を指示するメッセージ「第２の取引の決済方法選択」と、精算種別「現金」、「クレジットカード」、「電子マネー」いずれかを選択するためのボタンとが表示されている。
【０１２０】
また、上述した実施形態では、精算装置３０は、第２の取引情報の精算処理が完了した後に第１の取引情報のお釣り及びレシートを出力しているが、これに限らず、第１の取引情報の精算処理が完了した後に第１の取引情報のお釣りのみを排出し、レシートは出力しないようにしてもよい。なお、第１の取引情報のレシートの出力はいつでもよい。
【０１２１】
なお、上述の登録装置２０及び精算装置３０などとしての機能を実現するためのプログラムをコンピュータ読み取り可能な記録媒体に記録して、この記録媒体に記録されたプログラムをコンピュータシステムに読み込ませ、実行することにより上述の登録装置２０及び精算装置３０などとしての処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。
また、記録媒体には、当該プログラムを配信するために配信サーバからアクセス可能な内部または外部に設けられた記録媒体も含まれる。配信サーバの記録媒体に記憶されるプログラムのコードは、端末装置で実行可能な形式のプログラムのコードと異なるものでもよい。すなわち、配信サーバからダウンロードされて端末装置で実行可能な形でインストールができるものであれば、配信サーバで記憶される形式は問わない。なお、プログラムを複数に分割し、それぞれ異なるタイミングでダウンロードした後に端末装置で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムにすでに記録されているプログラムとの組み合わせで実現できるもの、いわゆる差分ファイル（差分プログラム）であってもよい。
【符号の説明】
【０１２２】
１０  ストアコントローラ、１１  ＬＡＮ、２０  登録装置、３０  精算装置、２０１  ＣＰＵ、２０２  記憶部、２０３  ＲＡＭ、２０４  スキャナ部、２０５  店員用表示部、２０５ａ  客用表示部、２０６  操作部、２０７  通信部、２０８  ブザー、２０９  印刷部、２１０  カードリーダ、３０１  ＣＰＵ、３０２  記憶部、３０３  ＲＡＭ、３０４  スキャナ部、３０５  表示部、３０６  操作部、３０７  通信部、３０８  ブザー、３０９  印刷部、３１０  決済部、３１１  サインポール、３１２  人感知センサ
【図１】
2018018203.tif 000003
【図２】
2018018203.tif 000004
【図３】
2018018203.tif 000005
【図４】
2018018203.tif 000006
【図５】
2018018203.tif 000007
【図６】
2018018203.tif 000008
【図７】
2018018203.tif 000009
【図８】
2018018203.tif 000010
【図９】
2018018203.tif 000011
【図１０】
2018018203.tif 000012
【図１１】
2018018203.tif 000013
【図１２】
2018018203.tif 000014
【図１３】
2018018203.tif 000015